(57)【要約】 【課題】取り忘れられた正常券の正常履歴を所定の枚数分遡及して表示可能な自動改札機を提供する。【解決手段】履歴表示釦をシングルクリックすることにより、取り忘れ乗車券が異常券である場合の異常履歴を表示する異常履歴表示手段と、履歴表示釦を長押しすることにより、取り忘れ乗車券が正常券である場合の正常履歴を表示する正常履歴表示手段とを有し、異常履歴表示手段による異常履歴表示中又は正常履歴表示手段による正常履歴表示中は、履歴表示釦をシングルクリックするごとに設定された所定の枚数分遡及して表示することができ、さらに、それぞれの表示手段処理中に履歴表示釦を長押しすることにより他の表示手段に移行できる。【選択図】  図２
2014229062.tif 000002
【特許請求の範囲】
【請求項１】
乗車券投入部から投入された乗車券の乗車情報を判定する判定手段と、
この判定手段による判定結果に基づいて乗車券を放出する乗車券取出部と、
この乗車券取出部に放出された乗車券の取り忘れを検知する取り忘れ検知手段と、
この取り忘れ検知手段によって検知された取り忘れ乗車券を取り込んで保管する保管庫と、
この保管庫に保管された取り忘れ乗車券の乗車履歴の表示を指示するための履歴表示釦と、
この履歴表示釦を押下することにより、取り忘れ乗車券の乗車履歴を表示する表示手段と、
前記取り忘れ乗車券が、前記判定手段により異常券と判定された際に当該異常券の異常履歴を前記表示手段に表示する異常履歴表示手段と、
前記取り忘れ乗車券が、前記判定手段により正常券と判定された際に当該正常券の正常履歴を前記表示手段に表示する正常履歴表示手段と、
を備えた自動改札機。
【請求項２】
前記異常履歴表示手段は、
前記履歴表示釦がシングルクリックされた際に最後の異常券の異常履歴を表示する第1の工程と、
この第1の工程の後に、続けてシングルクリックすることにより、現在表示されている異常履歴表示のさらに１つ前の異常履歴を、設定された所定の枚数分遡及して表示する第２の工程と、
前記第１の工程若しくは前記第２の工程の後、前記履歴表示釦を長押しすることにより正常券の正常履歴を表示する正常履歴表示手段に移行する第３の工程と、を備え、
前記正常履歴表示手段は、
前記履歴表示釦が長押しされた際に最後の正常券の正常履歴を表示する第４の工程と、
この第４の工程の後に、続けてシングルクリックすることにより、現在表示されている正常履歴表示のさらに１つ前の正常履歴を、設定された所定の枚数分遡及して表示する第５の工程と、
前記第３の工程若しくは前記第４の工程の後、前記履歴表示釦を長押しすることにより異常券の異常履歴を表示する異常履歴表示手段に移行する第６の工程と、を備え、
前記異常履歴表示手段及び前記正常履歴表示手段の何れも備えた請求項１記載の自動改札機。
【請求項３】
入場機及び出場機を備えた自動改札機において、
入場機及び出場機にそれぞれ備えられた、取り忘れ乗車券の乗車履歴を表示する前記表示手段と、
入場機及び出場機にそれぞれ備えられた、取り忘れ乗車券の乗車履歴の表示を指示する前記履歴表示釦と、
を備え、
前記入場機又は出場機の何れかの履歴表示釦により乗車履歴の表示が指示されたとき、前記入場機及び出場機の両方の表示手段に同一内容の乗車履歴を表示する請求項１記載の自動改札機。
【発明の詳細な説明】
【技術分野】
【０００１】
本発明の実施形態は、自動改札機に関する。
【背景技術】
【０００２】
近年、駅務機器の自動化が進み、旅客等の利用者は、駅係員の手を煩わせることなく所持する磁気乗車券を自動改札機に投入することにより駅構内への入場又は駅構内から出場することができる。しかしながら、利用者は、当該自動改札機に投入した磁気乗車券を自動改札機の進行方向出口部に設けられた取出部から抜き取るのを忘れてしまう場合がある。
【０００３】
この場合、これまでは、所定時間内に抜き取られない磁気乗車券は、自動改札機内部に取り込んで収納している。収納された磁気乗車券が不正乗車券の場合は、自動改札機に設けられている履歴表示釦を押下することにより当該不正乗車券の乗車情報を、当該自動改札機の出口部に設けられている表示部に表示できるようになっており、押下するごとに時系列的に古い乗車情報を所定の枚数分（例えば、１００枚分）表示することができる。
【０００４】
なお、取り忘れた乗車券の乗車履歴を係員携帯端末に表示する方法が知られている（例えば、特許文献１参照。）。
【先行技術文献】
【特許文献】
【０００５】
【特許文献１】特開２００３−２８１５７９号公報
【発明の概要】
【発明が解決しようとする課題】
【０００６】
上述した現行方式では、取り忘れられた磁気乗車券が不正乗車券の場合に当該不正乗車券の乗車情報を当該自動改札機に設けられている履歴表示釦を押下することにより、当該自動改札機の表示部に表示することができる。これは、不正乗車者は、自動改札機に不正乗車券を投入し、当該自動改札機の取出部に返却された不正乗車券を抜き取らずにドアを無理に通過して出場する場合があるからである。この場合、当該自動改札機は、取出部にある乗車券が抜き取られるまで異常状態が保持され、当該自動改札機は使用できなくなる。そこで、この異常状態を解除すると共に、当該不正乗車券の乗車情報を表示部で確認できるようになっている。以下、本明細書は、磁気乗車券の発明に関するため、特に区別する場合を除いて磁気乗車券のことを乗車券と記載する。
【０００７】
しかしながら、上述した方法では、正常券を自動改札機の取出部に取り忘れにより残留した場合も乗車券と人との一体性が保てないため、又は、当該取り忘れ乗車券が第三者に持ち去られるのを防止するため、当該自動改札機のドアを閉鎖して利用を止め、所定時間後、当該乗車券を当該自動改札機内部の保管庫に収納する。
【０００８】
従来は、上述したように、不正乗車券の乗車履歴を時系列的に過去に遡及して確認することができたが、上述した正常券の乗車履歴は確認できなかった。
【０００９】
本発明は、上述した課題を解決するためになされたもので、正常券が自動改札機の乗車券取出部に取り忘れられた場合、当該正常券を所定の時間後に保管庫に収納すると共に、履歴表示釦を長押しすることにより、正常券の正常履歴を時系列的に過去に遡及して所定の枚数分確認できる正常履歴表示手段を備えた自動改札機を提供することを目的とする。
【課題を解決するための手段】
【００１０】
上記目的を達成するために、本発明の請求項１記載の自動改札機は、乗車券投入部から投入された乗車券の乗車情報を判定する判定手段と、この判定手段による判定結果に基づいて乗車券を放出する乗車券取出部と、この乗車券取出部に放出された乗車券の取り忘れを検知する取り忘れ検知手段と、この取り忘れ検知手段によって検知された取り忘れ乗車券を取り込んで保管する保管庫と、この保管庫に保管された取り忘れ乗車券の乗車履歴の表示を指示するための履歴表示釦と、この履歴表示釦を押下することにより、取り忘れ乗車券の乗車履歴を表示する表示手段と、前記取り忘れ乗車券が、前記判定手段により異常券と判定された際に当該異常券の異常履歴を前記表示手段に表示する異常履歴表示手段と、前記取り忘れ乗車券が、前記判定手段により正常券と判定された際に当該正常券の正常履歴を前記表示手段に表示する正常履歴表示手段と、を備えた。
【図面の簡単な説明】
【００１１】
【図１】実施例１に係る自動改札機の概略構成図
【図２】実施例に係る自動改札機の履歴表示処理のフローチャート
【図３】図２に示す自動改札機の履歴表示処理シーケンス図
【図４】実施例２に係る両用機の概略構成図
【発明を実施するための形態】
【００１２】
以下、図面を参照して実施例に係る自動改札機の動作を説明する。
【実施例１】
【００１３】
図１は、実施例１に係る自動改札機１の概略構成図である。図１（Ａ）は、自動改札機１の正面図で、図１（Ｂ）は、自動改札機１の平面図で、図１（Ｃ）は自動改札機１の左側面図で、図１（Ｄ）は、自動改札機１の右側面図である。なお、自動改札機には、通路を挟んだ両側に対向して配置された装置本体の機能により、駅構内に入場する場合に使用される入場機、駅構内から出場する場合に使用される出場機、及びその両方の使用が可能な両用機がある。図１は、入場機又は出場機として使用される自動改札機の通路の一方に配置された主要な構成を示している。
【００１４】
自動改札機１は、乗車券投入部１１、ＩＣカード読取部１２、表示部１３、ドア部１４、ポール部１５、通路表示部１６、制御部（制御手段）１８、履歴表示釦１９保管庫２０及び乗車券取出部２１などを有して構成される。
【００１５】
旅客等利用者は、当該自動改札機１を通過する場合には、所持する乗車券（磁気乗車券）の場合には乗車券投入部１１に投入する。投入された乗車券は装置内部に取り込まれて、当該乗車券の乗車情報が制御部１８によって判定される。制御部１８は、乗車判定の結果、正常と判定した場合には、ドア１４を開状態にし、利用者の通過を許可する。
【００１６】
その際、当該利用者は、駅構内へ入場する場合であれば当該乗車券を乗車券取出部から抜き取り、鉄道を利用して降車後、駅構内から出場する際、当該乗車券を再度自動改札機の乗車券投入部１１に投入する。出場の際、正常券は当該自動改札機に取り込まれる。
【００１７】
一方、乗車判定の結果、異常判定の場合には、駅構内への入場、出場に関わらず、ドア１４を閉状態にし、利用者の通過を阻止すると共に、ポール１５の上部に配置された通路表示部１６の異常表示灯１６ａを点灯すると共に警報を発する。また、当該乗車券Ｔを、乗車券取出部２１に放出する。
【００１８】
図２は、実施例に係る自動改札機１の履歴表示処理のフローチャートである。利用者が乗車券を自動改札機１の乗車券取出部１７から取り忘れた場合（Ｓ０１のＹｅｓ）、自動改札機１の制御部１８は、取り忘れ検知手段によって乗車券が設定された所定時間、乗車券取出部に残留していることを検知されると、乗車券の取り忘れが発生したものとみなし、当該取り忘れ乗車券を当該自動改札機内部に設けた保管庫２０に取り込んで保管する（Ｓ０２）。
【００１９】
乗車券を取り忘れた利用者が乗車券を取り忘れたことに気が付き、当該自動改札機１が設置されている駅窓口の駅係員に乗車券を取り忘れたことを通知すると、駅係員は、取り忘れ乗車券Ｔが保管庫２０に保管されているか確認し（Ｓ０３）、保管されている場合は、当該乗車券の乗車区間、乗車日時、乗車料金などの乗車情報の乗車履歴を確認するために、当該自動改札機１の履歴表示釦１９を押下する。自動改札機１は、この履歴表示釦１９の押下により、取り忘れ乗車券の乗車履歴の表示を指示する乗車券確認処理に移行する（Ｓ０３のＹｅｓ）。
【００２０】
取り忘れ乗車券が異常券の場合は、履歴表示釦１９をシングルクリックすることにより（Ｓ０４のＹｅｓ）、異常履歴表示に移行し、最後の異常券の乗車履歴（以下、異常履歴と称する。）が表示部１３に表示される（Ｓ０５、異常履歴表示手段、第１の工程）。なお、後述する正常券の乗車履歴（以下、正常履歴と称する。）も表示部１３に表示される。
【００２１】
次に、履歴表示釦１９をシングルクリックすることにより（Ｓ０６のＹｅｓ）、当該表示された異常履歴の１つ前（過去）の異常履歴が表示される（Ｓ０７）。
【００２２】
このシングルクリックを繰り返すことにより、現在表示されている異常履歴のさらに１つ前の異常履歴が表示される（第２の工程）。このようにして異常履歴表示を、設定された所定の枚数分（例えば、１００枚分）、遡及して表示することができる（Ｓ０６〜Ｓ０８のループ）。
【００２３】
この異常履歴表示の中で、履歴表示釦１９を長押しすると（Ｓ０６のＮｏ）、それまでの異常履歴表示から正常履歴表示に移行する（第３の工程）。
【００２４】
取り忘れ乗車券が正常券の場合は、履歴表示釦１９を長押しすることにより（Ｓ０４のＮｏ）、正常履歴表示に移行し、最後の正常券の正常履歴が表示される（Ｓ０９、正常履歴表示手段、第４の工程）。
【００２５】
次に、履歴表示釦１９をシングルクリックすることにより（Ｓ１０のＹｅｓ）、当該表示された正常券の１つ前の正常券の正常履歴が表示される（Ｓ１１、第５の工程）。
【００２６】
このシングルクリックを繰り返すことにより、１つ前の正常券の正常履歴が表示される。このようにして正常券の正常履歴を設定された所定の枚数分（例えば、１００枚分）、遡及して履歴を表示することができる（Ｓ１０〜Ｓ１２のループ）。
【００２７】
この履歴表示の中で、履歴表示釦１９を長押しすると（Ｓ１０のＮｏ）、それまでの正常履歴表示から異常履歴表示に移行する（第６の工程）。異常履歴表示は、従来から用いられている履歴表示で、最後の異常券の異常履歴が表示される（Ｓ０５、第１の工程）。
【００２８】
次に、履歴表示釦１９をシングルクリックすることにより（Ｓ０６のＹｅｓ）、当該表示された異常履歴表示の１つ前の異常履歴が表示される（Ｓ０７）。
【００２９】
このシングルクリックを繰り返すことにより、現在表示されている異常履歴表示のさらに１つ前の異常履歴が表示される。このようにして異常履歴表示を、設定された所定の枚数分（例えば、１００枚分）、遡及して異常履歴を表示することができる（Ｓ０６〜Ｓ０８のループ）。上述した通りである。
【００３０】
この異常履歴表示の中で、履歴表示釦１９を長押しすると（Ｓ０６のＮｏ）、それまでの異常履歴表示から正常履歴表示に移行する（Ｓ０９）。その後の処理は、上述した正常履歴表示で説明した通りであり、その説明は省略する。
【００３１】
図３は、図２に示す自動改札機の履歴表示処理シーケンス図である。なお、図２に示すステップ番号と同様の動作を行う部分は同一ステップ番号を用いて説明する。上述した通り、待機時に、履歴表示釦１９をシングルクリッすると（破線矢印、Ｓ４のＹｅｓ）、異常履歴表示（１ページ目）を行う（Ｓ０５）。ここで、シングルクリックを繰り返すごとに（Ｓ０６のＹｅｓ）１つ前の異常履歴（次ページ以降）が表示される（Ｓ０７）。
【００３２】
この異常履歴表示処理中に履歴表示釦１９を長押しすることにより（Ｓ０６のＮｏ）、図示実線矢印で示すように正常履歴表示（Ｓ０９）に移行する。
【００３３】
正常履歴表示処理中はシングルクリックを繰り返すことにより（Ｓ１０のＹｅｓ）、１つ前の正常履歴（次ページ以降）が表示される（Ｓ１１）。この正常履歴表示処理中に履歴表示釦１９を長押しすることにより（Ｓ１０のＮｏ）、異常履歴表示に移行する。
【００３４】
以上説明したように、実施例１によれば、取り忘れた異常券の異常履歴表示だけでなく、取り忘れた正常券の正常履歴表示も行うことができ、特に、正常券を取り忘れた場合に、当該正常券を、取り忘れを通知してきた利用者に渡すことができるため、利用者の利便性が改善される。
【実施例２】
【００３５】
図４は、実施例２に係る両用機２の概略構成図の一例である。両用機２は、図１に示す自動改札機１を、通路を挟んだ両側に対向して配置して構成し、駅構内に入場する場合に使用される入場機２Ａ及び駅構内から出場する場合に使用される出場機２Ｂの両方の機能を兼ね備えた自動改札機である。
【００３６】
この両用機２では、実施例１で説明した乗車券投入部１１、表示部１３、履歴表示釦１９、保管庫２０及び乗車券取出部２１などが入場機２Ａ及び出場機２Ｂの両方に配置される。この場合、入場機２Ａの履歴表示釦１９と出場機２Ｂの履歴表示釦１９は論理和を構成しており、実施例１の図２に示す履歴表示処理は、入場機２Ａ又は出場機２Ｂの何れかの履歴表示釦１９により乗車履歴の表示が指示されると、上述した履歴表示（正常履歴表示及び異常履歴表示）を入場機２Ａ及び出場機２Ｂの両方の表示部１３に表示する。
【００３７】
実際の運用においては、入場機２Ａの取り忘れ乗車券は、入場機２Ａの保管庫２０に保管されるため、入場機２Ａの取り忘れ乗車券を確認するには、入場機２Ａの保管庫２０の近傍に配置されている履歴表示釦１９を操作するのが便利であり、出場機２Ｂの取り忘れ乗車券を確認するには、出場機２Ｂの保管庫２０の近傍に配置されている履歴表示釦１９を操作するのが便利である。しかしながら、複数の表示部に同一内容の履歴が表示されることにより、取り忘れ乗車券の確認を希望する利用者にとっては、視認性がよいという効果がある。
【００３８】
以上説明したように、実施例２によれば、本発明が両用機２に用いられた場合、入場機２Ａの履歴表示釦１９又は出場機２Ｂの履歴表示釦１９の何れかの履歴表示釦を操作することにより、入場機２Ａの表示部１３及び出場機２Ｂの表示部１３の何れにも同一内容の履歴表示が行われるので視認性がよいという効果が得られる。
【符号の説明】
【００３９】
１  自動改札機
２  両用機
２Ａ  入場機
２Ｂ  出場機
１１  乗車券投入部
１２  ＩＣカード読取部
１３  表示部
１４  ドア
１５  ポール部
１６  通路表示部
１８  制御部
１９  履歴表示釦
２０  保管庫
２１  乗車券取出部
【図１】
2014229062.tif 000003
【図２】
2014229062.tif 000004
【図３】
2014229062.tif 000005
【図４】
2014229062.tif 000006